(57)【要約】【課題】電子メール送受信プログラムにおいて、関連するメールがメールボックス内に散乱してしまう点と、同じ内容のメールを複数受信してしまった場合、データが重複してメールボックスのデータ量が増加してしまうという問題点があった。【解決手段】新規メールを送信する場合に、ユーザの意思によって、メールにＩＤを付加し、そのＩＤを基に過去の同一ＩＤを持つメールを取り纏めて送信し、受信の際には、新着メールのＩＤを基に過去の同一ＩＤとのメールの比較を行い、差分を追加して新着メールとし、重複した過去のメールは消去することにより解決した。【選択図】図２
2007226570.tif 000002
【特許請求の範囲】
【請求項１】
受信されたメールよりＩＤを取得し、そのＩＤを基に、過去に受信した同一ＩＤメールを検索する、受信時同一ＩＤメール検索ステップと、
前記受信されたメールと前記受信時同一ＩＤメール検索ステップで検索されたメールとの内容の比較を行い、重複していない差分を前記受信されたメールに付加して新着メールに追加する、同一ＩＤメール追加受信ステップとをコンピュータに実行させる
ことを特徴とする電子メール送受信プログラム。
【請求項２】
請求項１の電子メール送受信プログラムであって、
新規に送信するメールにＩＤを付加するＩＤ付加ステップと、
前記付加されたＩＤを基にメールを検索する、送信時同一ＩＤメール検索ステップと、
前記送信時同一ＩＤメール検索ステップにより探し出された同一ＩＤの過去のメールを、前記新規に送信するメールに追加して送信することを可能にする、同一ＩＤメール追加送信ステップをコンピュータに実行させる
ことを特徴とする電子メール送受信プログラム。
【請求項３】
請求項１または請求項２の電子メール送受信プログラムであって、
前記受信されたメールと前記受信時同一ＩＤメール検索ステップで検索されたメールとの内容の比較を行い、重複していない差分を前記受信されたメールに付加して、新着メールに追加する際に、過去に受信した同一ＩＤメールで、その内容が新着メールに追加されたものに関しては消去する、同一ＩＤ重複内容メール消去ステップをコンピュータに実行させる
ことを特徴とする電子メール送受信プログラム。
【請求項４】
受信されたメールよりＩＤを取得し、そのＩＤを基に、過去に受信した同一ＩＤメールを検索する、受信時同一ＩＤメール検索手段と、
前記受信されたメールと前記受信時同一ＩＤメール検索手段で検索されたメールとの内容の比較を行い、重複していない差分を前記受信されたメールに付加して新着メールに追加する、同一ＩＤメール追加受信手段とを備えた
ことを特徴とする情報処理装置。
【請求項５】
請求項４の情報処理装置であって、
新規に送信するメールにＩＤを付加するＩＤ付加手段と、
前記付加されたＩＤを基にメールを検索する、送信時同一ＩＤメール検索手段と、
前記送信時同一ＩＤメール検索手段により探し出された同一ＩＤの過去のメールを、前記新規に送信するメールに追加して送信することを可能にする、同一ＩＤメール追加送信手段を備えた
ことを特徴とする情報処理装置。
【請求項６】
請求項４または請求項５の情報処理装置であって、
前記受信されたメールと前記受信時同一ＩＤメール検索手段で検索されたメールとの内容の比較を行い、重複していない差分を前記受信されたメールに付加して、新着メールに追加する際に、過去に受信した同一ＩＤメールで、その内容が新着メールに追加されたものに関しては消去する、同一ＩＤ重複内容メール消去手段を備えた
ことを特徴とする情報処理装置。
【発明の詳細な説明】
【技術分野】
【０００１】
本発明は、電子メール送受信プログラムに係わり、特に関連したメールを取り纏めて閲覧する技術に関する。
【背景技術】
【０００２】
従来、電子メール送受信プログラムにおいて、複数の異なった主題に係わるメールのやり取りがなされているときには、メールボックス内にそれらのメールが散乱してしまい、同一主題の過去のメール内容を探し出すときには、メールの件名や、送信者の名前や、送られた時期などを手がかりにして探し出すが、たいへん手間がかかる。
【０００３】
一方、メールマガジンの複数号を纏めて送信する際に、重複するヘッダ、フッタや広告を削除して送信する方法（特許文献１参照）があった。この方法では、送信者側において、複数のメールを纏めることができるが、受信者側では、依然として届いたメールはメールボックス内に散乱することとなる。
【０００４】
また、電子メールに自動的にＩＤ（識別情報）を付加し、その付加されたＩＤをたどることにより、メールの送受信された経緯を調べたり、関連メールの一覧を表示させたりする方法（特許文献２参照）があった。しかし、この方法では、メールの過去のやり取りの経緯は分かるが、それは返信メールに対してのみ、その経緯をたどることができるものであって、同じ内容に関して新規にメールを出してしまうと同一関連内容のそれまでに出されているメールとの関連性は切れてしまう。また、メールの内容が重複していたら、それだけメモリ資源を必要としてしまう問題があった。
【０００５】
【特許文献１】特開２００４−１５２０５１号公報
【特許文献２】特開平１１−８８４２６号公報
【発明の開示】
【発明が解決しようとする課題】
【０００６】
解決しようとする問題点は、電子メール送受信プログラムにおいて、関連するメールがメールボックス内に散乱してしまう点と、同じ内容のメールを複数受信してしまった場合、データが重複してメールボックスのデータ量が増加してしまうという点である。
【課題を解決するための手段】
【０００７】
本発明の電子メール送受信プログラムは、新規に送信するメールにＩＤを付加するＩＤ付加ステップと、前記付加されたＩＤを基にメールを検索する送信時同一ＩＤメール検索ステップと、前記送信時同一ＩＤメール検索ステップにより探し出された同一ＩＤの過去のメールを追加して送信することを可能にする同一ＩＤメール追加送信ステップと、受信されたメールよりＩＤを取得し、そのＩＤを基に過去に受信した同一ＩＤメールを検索する受信時同一ＩＤメール検索ステップと、前記受信されたメールと前記受信時同一ＩＤメール検索ステップで検索されたメールとの内容の比較を行い、重複していない差分を前記受信されたメールに付加して新着メールに追加する同一ＩＤメール追加受信ステップと、前記同一ＩＤメール追加受信ステップにより前記新着メールに前記重複していない差分を追加する際に過去に受信した同一ＩＤメールでその内容が新着メールに追加されたものに関しては消去する同一ＩＤ重複内容メール消去ステップとをコンピュータに実行させることを特徴とする。
【０００８】
本発明の情報処理装置は、新規に送信するメールにＩＤを付加するＩＤ付加手段と、前記付加されたＩＤを基にメールを検索する送信時同一ＩＤメール検索手段と、前記送信時同一ＩＤメール検索手段により探し出された同一ＩＤの過去のメールを追加して送信することを可能にする同一ＩＤメール追加送信手段と、受信されたメールよりＩＤを取得し、そのＩＤを基に過去に受信した同一ＩＤメールを検索する受信時同一ＩＤメール検索手段と、前記受信されたメールと前記受信時同一ＩＤメール検索手段で検索されたメールとの内容の比較を行い重複していない差分を前記受信されたメールに付加して新着メールに追加する同一ＩＤメール追加受信手段と、前記同一ＩＤメール追加受信手段により、前記新着メールに前記重複していない差分を追加する際に過去に受信した同一ＩＤメールでその内容が新着メールに追加されたものに関しては消去する同一ＩＤ重複内容メール消去手段とを備えたことを特徴とする。
【発明の効果】
【０００９】
本発明の電子メール送受信プログラムは、新規に送信するメールにＩＤを付加するＩＤ付加ステップと、前記付加されたＩＤを基にメールを検索する送信時同一ＩＤメール検索ステップと、前記送信時同一ＩＤメール検索ステップにより探し出された同一ＩＤの過去のメールを追加して送信することを可能にする同一ＩＤメール追加送信ステップと、受信されたメールよりＩＤを取得し、そのＩＤを基に過去に受信した同一ＩＤメールを検索する受信時同一ＩＤメール検索ステップと、前記受信されたメールと前記受信時同一ＩＤメール検索ステップで検索されたメールとの内容の比較を行い、重複していない差分を前記受信されたメールに付加して新着メールに追加する同一ＩＤメール追加受信ステップと、前記同一ＩＤメール追加受信ステップにより前記新着メールに前記重複していない差分を追加する際に過去に受信した同一ＩＤメールでその内容が新着メールに追加されたものに関しては消去する同一ＩＤ重複内容メール消去ステップとをコンピュータに実行させることを特徴とするため、関連するメールを取り纏めておくことができ、また重複する内容でメモリを消費するのを防ぐ利点がある。
【００１０】
本発明の情報処理装置は、新規に送信するメールにＩＤを付加するＩＤ付加手段と、前記付加されたＩＤを基にメールを検索する送信時同一ＩＤメール検索手段と、前記送信時同一ＩＤメール検索手段により探し出された同一ＩＤの過去のメールを追加して送信することを可能にする同一ＩＤメール追加送信手段と、受信されたメールよりＩＤを取得し、そのＩＤを基に過去に受信した同一ＩＤメールを検索する受信時同一ＩＤメール検索手段と、前記受信されたメールと前記受信時同一ＩＤメール検索手段で検索されたメールとの内容の比較を行い重複していない差分を前記受信されたメールに付加して新着メールに追加する同一ＩＤメール追加受信手段と、前記同一ＩＤメール追加受信手段により、前記新着メールに前記重複していない差分を追加する際に過去に受信した同一ＩＤメールでその内容が新着メールに追加されたものに関しては消去する同一ＩＤ重複内容メール消去手段とを備えたことを特徴とするため、関連するメールを取り纏めておくことができ、また重複する内容でメモリを消費するのを防ぐ利点がある。
【発明を実施するための最良の形態】
【００１１】
電子メール送受信プログラムにおいて、関連するメールがメールボックス内に散乱してしまう点と、同じ内容のメールを複数受信してしまった場合、データが重複してメールボックスのデータ量が増加してしまうという問題を解決するという目的を、新規メールにＩＤを付加し、そのＩＤを基にユーザの選択で関連メールを追加して送信し、受信の際には、新着メールと過去の関連メールの比較を行い、差分については追加し、重複メールを消去することにより実現した。
【実施例１】
【００１２】
［構成］
本発明の実施例である電子メール送受信プログラムが機能する情報処理装置の実施例のブロック図を図１に示す。前記情報処理装置は、ＣＰＵ１、メモリ３、ハードディスク５、入力装置７、ディスプレイ９を有する。
【００１３】
本実施例の電子メール送受信プログラムは、上記ハードディスク５に記憶されており、ＣＰＵ１は、前記プログラムをメモリ３上にロードして実行する。前記プログラムの実行には、入力装置７からの入力に呼応してプログラムが動作し、その結果をディスプレイ９に表示する。
【００１４】
上記構成において、ＣＰＵ１は、本実施例の電子メール送受信プログラムに従い、ＩＤ付加手段と、送信時同一ＩＤメール検索手段と、同一ＩＤメール追加送信手段と、受信時同一ＩＤメール検索手段と、同一ＩＤメール追加受信手段と、同一ＩＤ重複内容メール消去手段とを実行する。
【００１５】
［動作の概要］
図２を使って本プログラムの動作の概要について説明する。
【００１６】
まず、ユーザが新規メールを作成するが、その際にＩＤを付加する（ＩＤ付加ステップ）（図２（ａ））。
【００１７】
次に、付加されたＩＤを基に、過去の同一ＩＤが付加されたメールを検索する（送信時同一ＩＤメール検索ステップ）（図２（ｂ））。
【００１８】
そのメールをユーザの選択で新規メールに付加して送信する（同一ＩＤメール追加送信ステップ）（図２（ｃ））。通常、関係者には過去のメールも送られているので、選択により過去の同一ＩＤメールを付加しないことも可能である。
【００１９】
次に受信者側であるが、送信者から送られたメールを受信し、付加されたＩＤを基にメールボックス内での同一ＩＤの付加されたメールを検索する（受信時同一ＩＤメール検索ステップ）（図２（ｄ）（ｅ））。この場合図２（ｅ）に示すように、過去に送信者であるＡさんには、送られていなかったＩＤ−１の付加された内容Ｃのメールについても探し出される。
【００２０】
次に、前記受信メールと前記検索された過去の同一ＩＤメールとの差分をチェックし、前記受信メールと前記受信時同一ＩＤメール検索ステップで求められた差分を結合する段階（同一ＩＤメール追加受信ステップ）が実行され（図２（ｆ）（ｇ））、ユーザに新着メールとして届く。この場合、前記の過去にＡさんには送られていなかったＩＤ−１の付加された内容Ｃのメールについても結合される。
【００２１】
また、新着メールに付加された事により、重複した内容となったメールに関しては、あらかじめ選択または、その都度の選択によって消去することができる（同一ＩＤ重複内容メール消去ステップ）（図２（ｈ））。この一連の動作により、メール受信ステップを完了する。
【００２２】
なお、上記動作中にある、送信時同一ＩＤメール検索ステップと受信時同一ＩＤメール検索ステップは、別のステップとして存在しているが、その動作は同じなのでひとつのプログラムで両ステップを兼用することも可能である。
【００２３】
［電子メール送受信プログラム動作画面］
図３は、本実施例による電子メール送受信プログラムの新規メール作成時の動作画面である。新規メール作成画面には、通常のメールプログラムに備わっている、送信ボタン５１、添付ファイル設定ボタン５３、送信先アドレス指定ボックス５５、件名記入ボックス５７、本文記入ボックス５９がある。これらのボタンやボックスの動作は、通常の電子メール送受信プログラムと同じく、送信先メールアドレスを送信先アドレス指定ボックス５５に記入し、メールのタイトルを件名記入ボックス５７に記入し、メールの本文を本文記入ボックス５９に記入して、送信ボタン５１をクリックすることによりメールが送信される。
【００２４】
本実施例では、これに付加する形でＩＤ付加機能表示ボタン６１、ＩＤ付加項目表示ボックス６３、付加ＩＤ記入リストボックス６５、同一ＩＤ過去メールリスト表示ボタン６７、同一ＩＤ過去メール送信時追加ボタン６９がある。以下にこれらについて説明する。
【００２５】
ＩＤ付加機能表示ボタン６１をクリックすることにより、ＩＤ付加項目表示ボックス６３の表示と非表示を選ぶことができる。ＩＤ付加項目表示ボックス６３の中には、６５，６７，６９で示される３項目が含まれており、これらが同時に表示または非表示となる。
【００２６】
付加ＩＤ記入リストボックス６５は、付加するＩＤを過去に入力したＩＤから選択するか、または新規にＩＤを入力することのできるリストボックスとなっている。ここで選択されたＩＤが、メール送信時にＩＤとして付加される。
【００２７】
同一ＩＤ過去メールリスト表示ボタン６７をクリックすることにより付加ＩＤ記入リストボックス６５で選択されたＩＤの過去メールを新規表示ウィンドウに表示する。
【００２８】
同一ＩＤ過去メール送信時追加ボタン６９をクリックすることにより、付加ＩＤ記入リストボックス６５で選択されたＩＤと同一ＩＤの過去メールを追加送信するかどうかを選択できる。同一ＩＤ過去メール追加送信の選択状態になっている時と非送信の選択状態になっている時でボタンの表示を異なるようにさせる。例えば、同ボタンを通常のコントラストのはっきりした表示とシェードがかかった状態とに変化させることにより、同一ＩＤの過去メールを追加して送信するかまたはしないで送信するかの選択状態がわかるようになっている。
【００２９】
図４は、本実施例による電子メール送受信プログラムのメール受信画面である。
【００３０】
メール受信画面には、通常のメールプログラムに備わっている受信ボタン７１、新規メール作成ボタン７３、メール返信ボタン７５、メールの入っている受信箱、送信済み、ゴミ箱などのメールフォルダ７７、選択されたメールフォルダの中の件名、差出人、受信日時などを表示するリスト８１、本文表示ボックス７９がある。
【００３１】
本実施例では、これに付加する形で、付加ＩＤごとフォルダ９３、９５、追加メール有無表示項目９７、追加メール表示ボタン９９、差分消去ボタン９１がある。以下にこれらについて説明する。
【００３２】
付加されたＩＤによって振り分けられた付加ＩＤごとフォルダ９３、９５は、９３が付加ＩＤ名が『プロジェクトＺＺＺ』であり、９５が、『プロジェクトＹＹＹ』である。各フォルダには、７７と同様に受信箱、送信箱、ゴミ箱、その他ユーザ設定のフォルダがサブフォルダとして存在する。それらは、付加ＩＤ名の左にある十字型のマークをクリックすることにより表示される。図４の画面では、現在９３のプロジェクトＺＺＺのフォルダが選択されそのメールの受信箱のリストが８１に表示されており、その第２項目である、件名が管理検討のメールが選択され、その本文が本文表示ボックス７９に表示されている。
【００３３】
追加メール有無表示項目９７により、受信された各メールに追加メールの有無を表し、追加メールがある場合、その内容を追加メール表示ボタン９９をクリックすることにより表示することができる。
【００３４】
また、選択された付加ＩＤごとメールボックスの内容が追加メールも含めて重複している場合には、差分消去ボタン９１をクリックすることにより、その重複をチェックし差分のみを残す動作が行われる。また、オプションメニューによる事前の選択により、新着メールが来るごとに差分消去を自動で行うようにすることもできる。
【００３５】
［付加ＩＤの実施例］
メール中にＩＤを付加する手法としてＨＴＭＬのＭＥＴＡタグを利用し、マルチパートのＭＩＭＥ形式によりＭＥＴＡタグを付加する。
【００３６】
例えば、下記のように付加ＩＤ、『プロジェクトＺＺＺ』を挿入する場合、本実施例のメール送信プログラムにより、以下の文章を付加する。
＜ＨＴＭＬ＞
＜ＨＥＡＤ＞
＜ＭＥＴＡ  ＮＡＭＥ＝”ＡＤＤＥＤ＿ＩＤ”  ＣＯＮＴＥＮＴ＝”ＰｒｏｊｅｃｔＺＺＺ”＞
＜／ＨＥＡＤ＞
＜／ＨＴＭＬ＞
ＨＴＭＬでは、ＭＥＴＡ文は表示されないので、ＨＴＭＬを理解するメールツールであれば、本実施例によらない電子メール送受信プログラムでも上記タグを表示しないので、受信者が上記タグを見て戸惑うことが無い。
【００３７】
本実施例によるメール受信プログラムでは、上記ＭＥＴＡタグを解析して付加ＩＤを取り出す。上記に示した、ＨＴＭＬ部分は、ＨＴＭＬメールと同様にメール本文としては表示されない。
【００３８】
また、上記ＭＥＴＡタグを利用せずに、テキスト本文先頭に付加ＩＤを挿入する方法によっても可能である。例えば、
ＡＤＤＩＴＩＯＮＡＬ＿ＩＤ＝”ＰｒｏｊｅｃｔＹＹＹ”
の一行を先頭に挿入する。この場合ＭＥＴＡタグを使ったように、通常のＨＴＭＬメールツールで付加ＩＤ部分を隠すことはできないが、本実施例のメールツールでは、その行を付加ＩＤに関する行として正しく処理され、その行を表示しないようにする。
【００３９】
また、メールの件名を付加ＩＤとして用いることも可能である。
【００４０】
［実施例の効果］
本実施例により、ユーザは、メールを受信する際に、新着メールの内容とともに、過去の関連メールを纏めて閲覧できるので、複数のプロジェクトごとにメールのやり取りがある場合などは、そのプロジェクトごとに異なったＩＤを付加させてメールのやり取りを行うことにより、同じプロジェクトごとにメールがまとまり、内容について遡って調べる場合にたいへん便利である。また、重複内容に関しては消去することもできるために、メモリ資源を節約することが可能となる。
【図面の簡単な説明】
【００４１】
【図１】情報処理装置のブロック図（実施例１）。
【図２】新規メール送信、受信の流れを示す図（実施例１）。
【図３】電子メール送受信プログラムのメール作成画面（実施例１）。
【図４】電子メール送受信プログラムのメール受信画面（実施例１）。
【符号の説明】
【００４２】
１  ＣＰＵ  （ＩＤ付加ステップ、送信時同一ＩＤメール検索ステップ、同一ＩＤメール追加送信ステップ、受信時同一ＩＤメール検索ステップ、同一ＩＤメール追加受信ステップ、同一ＩＤ重複内容メール消去ステップ、ＩＤ付加手段、送信時同一ＩＤメール検索手段、同一ＩＤメール追加送信手段、受信時同一ＩＤメール検索手段、同一ＩＤメール追加受信手段、同一ＩＤ重複内容メール消去手段）
３  メモリ
５  ハードディスク
【図１】
2007226570.tif 000003
【図２】
2007226570.tif 000004
【図３】
2007226570.tif 000005
【図４】
2007226570.tif 000006